(57)【要約】【課題】作業性を向上させつつ、光源ユニットを器具本体に取り付けた状態における安定性を向上させた照明器具を提供する。【解決手段】取付部材２１は、基板２２を支持する底面部２１１と、底面部２１１の幅方向一端側に延出する引掛片２６２，２４３と、底面部２１１の幅方向他端側に配置された１個の係止ばね２７とを有する。器具本体１の幅方向一端側には、引掛片２６２を挿通するための挿通孔１１２ｂ及び引掛片２４３を挿通するための挿通孔１１２ｃが設けられ、器具本体１の幅方向他端側には、係止ばね２７を係止するための係止金具２８が設けられている。そして、光源ユニット２を器具本体１に取り付けた状態では、引掛片２６２による支持点ａ１と引掛片２４３による支持点ｂ１と係止ばね２７による支持点ｃ１とを直線で繋いだ領域ｄ１内に光源ユニット２の重心ｇ１が入っており、光源ユニット２を器具本体１に取り付けた状態における安定性が向上する。【選択図】図１
2014165145.tif 000002
【特許請求の範囲】
【請求項１】
長尺状に形成された器具本体と、前記器具本体の長手方向と同方向を長手方向とし且つ前記器具本体の幅方向と同方向を幅方向とした状態で前記器具本体に着脱自在に取り付けられる光源ユニットとを備え、
前記光源ユニットは、複数のＬＥＤが実装された基板と、前記複数のＬＥＤが前記器具本体と反対側を向くようにして前記基板を前記器具本体に取り付けるための取付部材とを具備し、
前記取付部材は、前記基板を支持するベースと、前記ベースの幅方向における一端側に延出し且つ前記ベースの長手方向において所定の間隔を空けて配置された第１引掛片及び第２引掛片と、前記ベースの幅方向における他端側に配置された１個の係止ばねとを有し、
前記器具本体の幅方向における一端側には、前記第１引掛片を挿通するための第１挿通孔及び前記第２引掛片を挿通するための第２挿通孔が設けられ、前記器具本体の幅方向における他端側には、前記係止ばねを係止するための係止部が設けられており、
前記器具本体に取り付けられた前記取付部材を前記器具本体側から見た際に、前記第１引掛片による支持点と前記第２引掛片による支持点と前記係止ばねによる支持点とを直線で繋いだ領域内に前記光源ユニットの重心が入るように、前記第１引掛片、前記第２引掛片及び前記係止ばねをそれぞれ配置したことを特徴とする照明器具。
【請求項２】
前記第１引掛片及び前記第２引掛片は、前記ベースの長手方向に延出する延出部をそれぞれ先端側に有し、
前記係止ばねは、前記ベースの長手方向における中央近傍において前記係止部と係止するように配置されており、
前記第１引掛片を前記第１挿通孔に挿通させ、前記第２引掛片を前記第２挿通孔に挿通させ、前記係止ばねを前記係止部に係止させた状態では、前記第１引掛片が前記第１挿通孔の開口端縁に当接し且つ前記第２引掛片が前記第２挿通孔の開口端縁に当接することを特徴とする請求項１記載の照明器具。
【発明の詳細な説明】
【技術分野】
【０００１】
本発明は、照明器具に関するものである。
【背景技術】
【０００２】
従来より、天井に取り付けられる天井直付け型の照明器具が多数提供されており（例えば特許文献１参照）、以下、その一例について図８を参照しながら説明する。
【０００３】
図８は従来の照明器具の一例を示す斜視図であり、この照明器具Ｂは、長尺状に形成された器具本体１と、器具本体１に対して着脱自在に取り付けられる光源ユニット２とを備える。器具本体１の幅方向における中央部には、光源ユニット２を収容するための凹部１１が全長に亘って設けられている。
【０００４】
光源ユニット２は、複数のＬＥＤが長手方向に沿って実装された基板（図示せず）と、器具本体１と同様に長尺状に形成され上記基板を器具本体１に取り付けるための取付部材２１と、上記複数のＬＥＤに点灯電力を供給する電源装置２４とを具備する。
【０００５】
取付部材２１は、長手方向における両端寄りの位置にそれぞれ取り付けられた２個１組の係止金具２６を有しており、各係止金具２６は、取付部材２１の幅方向における一端側に延出する引掛片２６２と、取付部材２１の幅方向における他端側に配置される係止ばね２７とを備えている。
【０００６】
器具本体１の凹部１１の一方の側面部１１２には、各引掛片２６２を挿通するための挿通孔１１２ａが各引掛片２６２と対応する位置に設けられ、器具本体１の凹部１１の他方側には、各係止ばね２７を係止するための係止部（図示せず）が各係止ばね２７と対応する位置に設けられている。
【０００７】
そして、図８に示すように、各引掛片２６２をそれぞれ対応する挿通孔１１２ａに引っ掛けた状態から、引掛片２６２側を回動中心として光源ユニット２を回転させていき、各係止ばね２７をそれぞれ対応する係止部に係止させることで、光源ユニット２が器具本体１に取り付けられる。
【先行技術文献】
【特許文献】
【０００８】
【特許文献１】特開２０１２−３９９３号公報
【発明の概要】
【発明が解決しようとする課題】
【０００９】
ところで、上述の図８に示した照明器具Ｂよりも長さ寸法が短い（例えば半分の長さ）照明器具に対して２個の係止ばね２７を用いた場合、器具本体１に対して光源ユニット２を強固に取り付けることができるものの、保持力が強すぎるため、器具本体１から光源ユニット２を取り外す際には大きな力が必要であり、作業性がよくなかった。
【００１０】
そこで、作業性を向上させるために、一方の係止金具２６から係止ばね２７を取り外し、他方の係止ばね２７のみで光源ユニット２を器具本体１に係止させることも考えられるが、この場合、各引掛片２６２及び係止ばね２７に加えられる力のバランスが悪く、光源ユニット２を器具本体１に取り付けた状態における安定性がよくなかった。
【００１１】
本発明は上記問題点に鑑みて為されたものであり、その目的とするところは、作業性を向上させつつ、光源ユニットを器具本体に取り付けた状態における安定性を向上させた照明器具を提供することにある。
【課題を解決するための手段】
【００１２】
本発明の照明器具は、長尺状に形成された器具本体と、器具本体の長手方向と同方向を長手方向とし且つ器具本体の幅方向と同方向を幅方向とした状態で器具本体に着脱自在に取り付けられる光源ユニットとを備え、光源ユニットは、複数のＬＥＤが実装された基板と、複数のＬＥＤが器具本体と反対側を向くようにして基板を器具本体に取り付けるための取付部材とを具備し、取付部材は、基板を支持するベースと、ベースの幅方向における一端側に延出し且つベースの長手方向において所定の間隔を空けて配置された第１引掛片及び第２引掛片と、ベースの幅方向における他端側に配置された１個の係止ばねとを有し、器具本体の幅方向における一端側には、第１引掛片を挿通するための第１挿通孔及び第２引掛片を挿通するための第２挿通孔が設けられ、器具本体の幅方向における他端側には、係止ばねを係止するための係止部が設けられており、器具本体に取り付けられた取付部材を器具本体側から見た際に、第１引掛片による支持点と第２引掛片による支持点と係止ばねによる支持点とを直線で繋いだ領域内に光源ユニットの重心が入るように、第１引掛片、第２引掛片及び係止ばねをそれぞれ配置したことを特徴とする。
【００１３】
この照明器具において、第１引掛片及び第２引掛片は、ベースの長手方向に延出する延出部をそれぞれ先端側に有し、係止ばねは、ベースの長手方向における中央近傍において係止部と係止するように配置されており、第１引掛片を第１挿通孔に挿通させ、第２引掛片を第２挿通孔に挿通させ、係止ばねを係止部に係止させた状態では、第１引掛片が第１挿通孔の開口端縁に当接し且つ第２引掛片が第２挿通孔の開口端縁に当接するのが好ましい。
【発明の効果】
【００１４】
本発明の構成によれば、光源ユニットを器具本体に取り付けた状態では、第１引掛片による支持点と第２引掛片による支持点と係止ばねによる支持点とを直線で繋いだ領域内に光源ユニットの重心が入っているので、第１引掛片、第２引掛片及び係止ばねにそれぞれ加えられる力のバランスがよく、光源ユニットを器具本体に取り付けた状態における安定性が向上するという効果がある。また、係止ばねが１個であるため、器具本体から光源ユニットを取り外す際に加える力が小さくてすみ、作業性が向上するという効果もある。
【図面の簡単な説明】
【００１５】
【図１】本実施形態の照明器具に用いられる光源ユニットを上側から見た平面図である。
【図２】同上に用いられる取付部材の一部拡大図である。
【図３】同上において光源ユニットを器具本体に取り付けた状態の一部省略せる断面図である。
【図４】同上の分解斜視図である。
【図５】同上の外観斜視図である。
【図６】同上の断面図である。
【図７】同上に用いられる別の光源ユニットを上側から見た平面図である。
【図８】従来の照明器具において光源ユニットを器具本体に吊り下げた状態の斜視図である。
【発明を実施するための形態】
【００１６】
以下に、照明器具の実施形態について図１〜図７を参照しながら説明する。なお、以下の説明では特に断りがない限り、図６に示す向きにおいて上下左右の方向を規定し、さらに図６中の紙面に垂直な方向を前後方向（手前側が前側）と規定して説明を行う。
【００１７】
本実施形態の照明器具Ａは、図６に示すように天井直付け型の照明器具であり、吊ボルト２００を用いて天井材１００に取り付けられる器具本体１と、器具本体１に対して着脱自在に取り付けられる光源ユニット２とを備える。
【００１８】
器具本体１は、板金に曲げ加工を施すことで長尺且つ上面（天井材１００との対向面）が開口する扁平な箱状に形成され、天井材１００と反対側（つまり下側）には光源ユニット２を収容するための矩形の凹部１１が全長に亘って設けられている（図４参照）。また、器具本体１の左右方向（幅方向）において凹部１１の両側には、凹部１１の開口端縁から延出し且つ外側に行くほど上側（天井材１００側）に傾斜する傾斜面１２，１２がそれぞれ設けられている。
【００１９】
また、凹部１１の底面部１１１には、電線を通すための孔１１１ａが前後方向（長手方向）に沿って複数（図４では５個）設けられており、さらに前後方向における両端寄りの位置に吊ボルト２００を通すための孔１１１ｂがそれぞれ２個ずつ設けられている。また、凹部１１の右側の側面部１１２には、図４に示すように、矩形の挿通孔１１２ｂ，１１２ｃが前後方向において横並びに設けられている。
【００２０】
光源ユニット２は、図４に示すように、基板２２と、基板２２が取り付けられる取付部材２１と、基板２２を覆うようにして取付部材２１に取り付けられるカバー部材２３と、基板２２に所定の点灯電力を供給する電源装置２４とを具備する。
【００２１】
基板２２は、前後方向に長い矩形板状に形成されたプリント基板２２１からなり、プリント基板２２１の下面には複数のＬＥＤ（発光ダイオード）２２２が前後方向（長手方向）に沿って実装されている。また、基板２２の前端部（図４中の右端部）には、電源装置２４との間を電気的に接続するためのコネクタ２２３が実装されている。このコネクタ２２３には電線（図示せず）が接続されており、この電線の端部を電源装置２４に接続することで基板２２と電源装置２４とが電気的に接続される。
【００２２】
取付部材２１は、板金に曲げ加工を施すことでＵ字状に形成され、長尺且つ矩形板状に形成された底面部２１１と、底面部２１１の左右方向（幅方向）における両端から上下方向（底面部２１１と直交する方向）に延出する一対の側面部２１２とで構成される。各側面部２１２の先端には、図６に示すように、互いに離れる向き（外向き）に傾斜する傾斜部２１２ａがそれぞれ全長に亘って設けられている。
【００２３】
底面部２１１の前端部（図４中の右端部）には、基板２２と電源装置２４とを電気的に接続する上記電線を通すための孔２１１ａが設けられている。なお、上述した基板２２は、例えば取付部材２１の底面部２１１の一部を切り起こすことで形成された係止爪（図示せず）により取付部材２１に固定される。ここに本実施形態では、底面部２１１によりベースが構成されている。
【００２４】
カバー部材２３は、拡散性を有する材料（例えば乳白色のアクリル樹脂）により上面（取付部材２１側の面）が開口する長尺状に形成され、左右方向（幅方向）において両端側から中央側に行くほど下側への突出量が大きくなるような凸レンズ形状の拡散面２３１を有している（図６参照）。
【００２５】
また、カバー部材２３の左右方向における両端部には、図６に示すように、光源ユニット２を器具本体１に取り付けた状態で、上下方向において器具本体１の凹部１１の開口端縁と重なる延出部２３２がそれぞれ設けられている。さらに、カバー部材２３の左右方向において各延出部２３２の内側には、上側（取付部材２１側）に突出する突壁部２３３がそれぞれ全長に亘って設けられており、各突壁部２３３の先端には内向きに突出する突起部２３３ａがそれぞれ設けられている。
【００２６】
電源装置２４は、電源基板２４１と、電源基板２４１を収納するための収納ケース２４２と、収納ケース２４２の右側端縁から側方に延出する引掛片２４３（図１参照）とを有する。電源基板２４１は、前後方向に長い矩形板状に形成されたプリント基板２４１ａからなり、このプリント基板２４１ａには、少なくともＬＥＤ２２２の点灯電力を生成するために必要な回路部品（例えばトランスやダイオード、コンデンサなど）２４１ｂが実装されている。
【００２７】
収納ケース２４２は、図４に示すように、一面（取付部材２１の底面部２１１との対向面）が開口し且つ前後方向に長い矩形箱状に形成されており、開口側が取付部材２１の底面部２１１と対向するようにして、例えばねじなどを用いて取付部材２１の側面部２１２に取り付けられる。引掛片２４３は、前後方向（取付部材２１の底面部２１１の長手方向）に延出する延出部２４３ａ（図１参照）を先端に有し、後述する引掛片２６２及び係止ばね２７とともに光源ユニット２を器具本体１に取り付ける際に用いられる。なお、詳細については後述する。
【００２８】
ここに、器具本体１の凹部１１の底面部１１１には、天井裏を通して室内側に露出させた電源線（図示せず）が接続される端子台（図示せず）が取り付けられており、電線を介して端子台に接続されたコネクタ（図示せず）と、電線２４５を介して電源装置２４に接続されたコネクタ２４４（図１参照）とを接続することで、端子台と電源装置２４とが電気的に接続される。
【００２９】
図１は光源ユニット２を上側から見た平面図であり、取付部材２１の底面部２１１の上面側には、係止ばね２７が組み付けられた係止金具２６と電源装置２４とが所定の間隔を空けた状態で取り付けられている。
【００３０】
係止金具２６は、図１及び図２に示すように、矩形板状に形成された金具本体２６１を有し、金具本体２６１の右側端縁には、側方に延出する矩形板状の引掛片２６２が設けられている。また、引掛片２６２の先端には、引掛片２６２と直交する方向（取付部材２１の底面部２１１の長手方向）に延出する延出部２６２ａが設けられている。さらに、金具本体２６１の左側端縁には、係止ばね２７を保持するための保持部２６３と、係止ばね２７の一方の腕部２７２を係止するための係止部２６４とが設けられている。
【００３１】
係止ばね２７は、線ばねをコイル状に巻回して形成された基端部２７１と、基端部２７１の両端から互いに離れる方向に延設された一対の腕部２７２，２７３とを有する。この係止ばね２７は、基端部２７１が係止金具２６の保持部２６３に保持され、さらに一方の腕部２７２が係止部２６４に係止された状態で係止金具２６に取り付けられる（図２参照）。なお、本実施形態では、図１に示すように、腕部２７２が外側（端部側）、腕部２７３が内側（中央側）となるように係止ばね２７を係止金具２６に取り付けている。
【００３２】
図３は光源ユニット２を器具本体１に取り付けた状態の一部省略せる断面図であり、器具本体１の凹部１１の底面部１１１には、係止金具２７を係止するための係止金具２８（係止部）が取り付けられている。この係止金具２８は、底面部１１１に取り付けるための取付片２８１と、係止ばね２７の腕部２７３を係止するための係止片２８２とを有し、側面視の形状がＵ字状に形成されている。また、係止片２８２の前後方向（図３中の左右方向）における両端縁には、溝（図示せず）がそれぞれ設けられている。
【００３３】
次に、光源ユニット２の組立手順について説明する。まず最初に、作業者は、係止ばね２７が組み付けられた係止金具２６及び電源装置２４をそれぞれ取付部材２１の底面部２１１の上面側に取り付ける。その後、作業者は、上記係止爪により基板２２を取付部材２１の底面部２１１に固定し、さらに基板２２のコネクタ２２３から導出する電線を取付部材２１の底面部２１１に設けた孔２１１ａに通した後、その端部を電源装置２４に接続する。
【００３４】
そして最後に、作業者は、開口側を上向きにした状態でカバー部材２３を取付部材２１に組み付ける。このとき、カバー部材２３の各突壁部２３３に設けた突起部２３３ａが、取付部材２１の各側面部２１２に設けた傾斜部２１２ａと係合し、カバー部材２３が取付部材２１に取り付けられる。以上のような手順に従って、光源ユニット２が組み立てられる。
【００３５】
続けて、照明器具Ａの施工手順について説明する。なお、以下の説明では、係止金具２８及び上記端子台が器具本体１に予め取り付けられているものとして説明する。まず最初に、作業者は、上記電源線を器具本体１に設けた孔１１１ａに通し、さらに天井材１００を通して室内側に露出する吊ボルト２００を孔１１１ｂに通した後、吊ボルト２００にナット３００をねじ込んで器具本体１を天井材１００に固定する。
【００３６】
その後、作業者は、上記電源線の端部を上記端子台に接続し、さらに上記端子台に電気的に接続されたコネクタと、電源装置２４に電気的に接続されたコネクタ２４４とを接続する。そして、電源装置２４が器具本体１の凹部１１内に収容されるようにして光源ユニット２を器具本体１に取り付けると、照明器具Ａの施工が完了する（図５及び図６参照）。
【００３７】
ここで、光源ユニット２を器具本体１に取り付ける手順について詳述する。まず最初に、作業者は、係止金具２６から延出する引掛片２６２を器具本体１の凹部１１の側面部１１２に設けた挿通孔１１２ｂに挿通させるとともに、電源装置２４から延出する引掛片２４３を側面部１１２に設けた挿通孔１１２ｃに挿通させ、光源ユニット２を器具本体１に吊り下げる。次に、作業者は、引掛片２６２，２４３側を回動中心として光源ユニット２を所定位置まで回動させる。
【００３８】
その後、作業者は、光源ユニット２を保持した状態のまま、係止ばね２７の腕部２７３を係止金具２８の係止片２８２の内側の溝に係止させる。そしてこの状態から、作業者が光源ユニット２をさらに回動させると、腕部２７３が係止片２８２の上面を摺動しながら図３に示す位置まで移動し、光源ユニット２が器具本体１に取り付けられる。ここに本実施形態では、引掛片２６２により第１引掛片が構成され、引掛片２４３により第２引掛片が構成されている。また本実施形態では、挿通孔１１２ｂにより第１挿通孔が構成され、挿通孔１１２ｃにより第２挿通孔が構成されている。
【００３９】
ところで、従来の照明器具Ｂは器具全体の長さ寸法が長く、係止ばね２７を２個用いているが、本実施形態の照明器具Ａは器具全体の長さ寸法が従来の照明器具Ｂの約半分であるため、係止ばね２７を１個に削減している。また、図１に示すように、電源装置２４が、取付部材２１の前後方向（図１中の左右方向）の中心線Ｐ１よりも前側（図１中の右側）に配置されているため、光源ユニット２の重心ｇ１は中心線Ｐ１よりも前側にある。
【００４０】
そこで、本実施形態では、係止ばね２７による支持点ｃ１を中心線Ｐ１近傍とし、さらに中心線Ｐ１から引掛片２４３の支持点ｂ１までの距離Ｌ２を、中心線Ｐ１から引掛片２６２の支持点ａ１までの距離Ｌ１よりも長く設定している。これにより、引掛片２６２の支持点ａ１と引掛片２４３の支持点ｂ１と係止ばね２７の支持点ｃ１とを直線で繋いだ領域ｄ１内に光源ユニット２の重心ｇ１が入り、引掛片２６２，２４３及び係止ばね２７にそれぞれ加えられる力のバランスがよくなる。その結果、光源ユニット２を器具本体１に取り付けた状態における安定性が向上する。
【００４１】
また、係止ばね２７が１個であるため、器具本体１から光源ユニット２を取り外す際に加える力が小さくてすみ、作業性が向上する。さらに、係止ばね２７を１個にすることで、従来例に比べて部品点数を削減することができ、しかも長さ寸法が異なる複数種類の照明器具に対して同じ部品を用いることができるので、部品の共通化が図れる。
【００４２】
ここで、従来の照明器具Ｂでは、２個の係止ばね２７が互いに逆向きとなるように配置されており（図８参照）、そのため光源ユニット２を器具本体１に取り付けることで各係止部から各係止ばね２７に対して加えられる力は互いに相殺される。その結果、各引掛片２６２は、前後方向において挿通孔１１２ａの開口端縁に当接することなく、挿通孔１１２ａの略中央部に配置される。
【００４３】
これに対して、本実施形態の照明器具Ａでは、１個の係止ばね２７しか用いていないため（図１参照）、光源ユニット２を器具本体１に取り付けた状態では、係止金具２８から係止ばね２７に対して後向きの力が加えられる。そして、この力によって各引掛片２６２，２４３が後方へ移動し、引掛片２６２は挿通孔１１２ｂの後側の開口端縁に当接し、引掛片２４３は挿通孔１１２ｃの後側の開口端縁に当接する。その結果、例えば引掛片２６２が挿通孔１１２ｂから抜け落ちそうになった場合でも、延出部２６２ａが挿通孔１１２ｂの開口端縁に引っ掛かることで、光源ユニット２が器具本体１から脱落するのを抑えることができる。また、引掛片２４３についても同様である。
【００４４】
なお、本実施形態では、電源装置２４の収納ケース２４２と一体に設けた引掛片２４３を第２引掛片としたが、例えば図７に示すように、電源装置２４と別体に第２引掛片（図７中の右側の引掛片２６２）を設けてもよい。この場合、図１に示した光源ユニット２と同様に、各引掛片２６２の支持点と係止ばね２７の支持点とを直線で繋いだ領域内に光源ユニット２の重心が入るように、各引掛片２６２及び係止ばね２７をそれぞれ配置することで、光源ユニット２を器具本体１に取り付けた状態における安定性が向上する。
【符号の説明】
【００４５】
１  器具本体
２  光源ユニット
２１  取付部材
２２  基板
２７  係止ばね
２８  係止金具（係止部）
１１２ｂ  挿通孔（第１挿通孔）
１１２ｃ  挿通孔（第２挿通孔）
２１１  底面部（ベース）
２４３  引掛片（第２引掛片）
２６２  引掛片（第１引掛片）
ａ１，ｂ１，ｃ１  支持点
ｄ１  領域
ｇ１  重心
【図１】
2014165145.tif 000003
【図２】
2014165145.tif 000004
【図３】
2014165145.tif 000005
【図４】
2014165145.tif 000006
【図５】
2014165145.tif 000007
【図６】
2014165145.tif 000008
【図７】
2014165145.tif 000009
【図８】
2014165145.tif 000010